(57)【特許請求の範囲】
【請求項１】
握り部とクリーナー部とからなり、クリーナー部に舌苔を剥離するブラシ部と、ブラシ部で剥離した舌苔を集め取るヘラ部とが設けられており、該前記、クリーナー部に設けたブラシ部、ヘラ部を含む熱可塑性エラストマ表面がブラスト加工されていることを特徴とする舌苔清掃具。
【請求項２】
請求項１に記載の握り部とクリーナー部とからなる舌苔清掃具であって、該前記クリーナー部に設けられたブラシ断面形状が、ダイヤモンド（菱型）であることを特徴とする舌苔清掃具。
【請求項３】
請求項１に記載の握り部とクリーナー部とからなる舌苔清掃具であって、該前記クリーナー部に設けられたブラシ部の先端が、湾曲していることを特徴とする舌苔清掃具。
【請求項４】
請求項１〜３の何れかの舌苔清掃具であって、該クリーナー部に、他物性からなる粉体または香料が、練り込まれていることを特徴とする舌苔清掃具。
【発明の詳細な説明】
【技術分野】
【０００１】本願発明は、口内清掃具に関すものである。
【背景技術】
【０００２】舌の表面には、食物の破片や微生物によるプラーク（舌苔）などの汚物が付着し易く、これが口臭や味覚欠如の原因となる。加えて、口内は食後酸性化するところを中性である「だ液」によって、口内環境を正常値に戻し各口内トラブルを守っている。【０００３】そして、該口内清掃具の代表が「歯ブラシ」であり、近年、口臭を気にするエンドユーザーが増加したことで「舌ブラシ」を使用する人も増加した。【０００４】舌ブラシの文献は下記に記載したものに加え多数存在する。【０００５】
【特許文献１】特許４０７６０４３公報．
【特許文献２】特許５８１２６６４公報．
【特許文献３】特許４２７５２２９公報．
【発明者が解決しょうとする課題】
【０００６】本願発明は、舌の汚れを今迄の「舌ブラシ」以上に安全且、確実に除去することで、口臭を押え、口内環境を一早く健全な状態に整えることのできる商品の研究開発を課題とした。
【課題を解決するための手段】
【０００７】上記した、目的を達成するために、射出成形に使用する金型、商品クリーナー部（ヘラ部、ブラシ部）のみに、ブラスト加工を施し、該商品同部に微細な凹凸を設けた。該前記ブラスト加工に加えて、クリーナー部に設けたブラシ部の断面形状を、ダイヤモンド形状（菱形状）とする場合も考えられる。それに加え、熱可塑性エラストマ樹脂における物性（加工性態）の向上と、射出成形における金型精度の向上により、ブラシ先端部が極細且、湾曲した商品製造も可能となった。
【０００８】それに加えクリーナー部に設けたヘラ部、ブラシ部となる材料（熱可塑性エラストマ樹脂）に、他物性からなる粉体（抗菌、滅菌、消臭効果を有する粉体）又は、香料を練り込み成形する。
【発明の効果】
【０００９】商品クリーナー部（ヘラ部、ブラシ部）などの熱可塑性エラストマ樹脂表面に、微細ではあるものの凸部を設けることで、該部分の表面積が上昇することにより、舌の汚れ「舌垢」の除去効果が上昇する。それに加え、ブラシ部本体の形状を円錐形状から、ダイヤモンド（菱形）形状、ブラシ先端を湾曲させることにより、熱可塑性エラストマ樹脂からなる該部分は、摩擦係数が上昇し「舌垢」の除去効果も上昇する。
【００１０】前記した、「舌垢」の除去効果に加え、クリーナー部（ヘラ部、ブラシ部）に使用される熱可塑性エラストマ樹脂に、射出成形の際、他物性からなる粉体（抗菌、滅菌、消臭効果を有する粉体）又は、香料を練り込み成形することで、エンドユーザーは恒に清潔な口内清掃具を使用することが可能となった。
【発明を実施するための最良の形態】
【００１１】以下、本願発明を実施するための最良の形態を図をもって説明する。【００１２】図２は、射出成形金型における、熱可塑性エラストマ成形部分にブラスト加工（ショットブラスト、サンドブラスト、ダイヤモンドブラスト）を施す様子を示したイメージ図である。この加工（表面処理）方法は、ブラスト加工機５から高速で噴射されるブラスト粒５Ａによって、金型３に設けた金型表面成形部４の表面に凹部を製造する方法である。【００１３】このブラスト加工を、射出成形に用いられる金型３の金型表面成形部４に、前記したブラスト加工を施すことにより口内清掃具であるところの、舌ブラシ、クリーナー部１、ヘラ部１Ａ、ブラシ部１Ｂ（熱可塑性エラストマなどのゴム類製造部）の商品表面に凸形状の表面加工部１Ｃが製造される。【００１４】そして、この熱可塑性エラストマを素材とするクリーナー部１、ヘラ部１Ａ、ブラシ部１Ｂは、硬度ショアＡ１０〜３５程度（赤ちゃんの手の平から、消しゴムの硬さ位）であることから、口内清掃具として使用するためには、握り部（ハンドル）と、クリーナー部１、ヘラ部１Ａ、ブラシ部１Ｂを補強する芯材バネ部２は重要である。【００１５】この前記した、芯材バネ部２は、射出成型によるところのポリプロピレン樹脂が好適である。その理由は、材料費が安価であり且、作業性態が優れているためである。これは量産品にとって最重要点でもある。【００１６】そして、この口内清掃具のクリーナー部１、ヘラ部１Ａ、ブラシ部１Ｂ、には、前記したように、該表面に凸部が無数に点在するため、表面積は大きくなり、該突起が存在することで、舌の汚れ「舌垢」を効果的に除去することが可能となった。
加えて、該クリーナー部１、ヘラ部１Ａ、ブラシ部１Ｂに、抗菌、滅菌効果などを有する粉体や、キシリトール、クールミントなどの香料（使用者に爽快感を与える）を練り込まれた原料（熱可塑性エラストマ）を使用することも可能である。【００１７】また、射出成形の進歩と、金型製造技術の向上により、図１のように、クリーナー部１、ヘラ部１Ａ、ブラシ部１Ｂの表面にブラスト加工を施こしただけでなく、図３のように、該ブラシ部分における断面部をダイヤモンド（菱形）形状（図４）とすることや、図５のようにブラシ部１Ｂ先端を細長く延長し、該先端を湾曲させることも可能となった。そして、これらの加工を組み合わせることも可能である。
【図面の簡単な説明】
【００１８】
【図１】本願発明のクリーナー部の表面状態を示すイメージ拡大図．
【図２】本願発明の金型表面ブラスト加工法を示すイメージ図．
【図３】本願発明のブラシ部ダイヤモンド形状を示すイメージ拡大図．
【図４】本願発明のブラシ部ダイヤモンド形状部をＡ−Ａ断面からカットした、断面拡大図。
【図５】本願発明のブラシ部先端が湾曲していることを示すイメージ拡大図。
【符合の説明】
【００１９】１、  クリーナー部、
１Ａ、ヘラ部、
１Ｂ、ブラシ部、
１Ｃ、表面加工部、
２、  芯材バネ部、
３、  金型、
４、  金型表面成形部、
５、  ブラスト加工機、
５Ａ、ブラスト粒、
【要約】      （修正有）【課題】安全、確実に「舌垢」を除去することが可能であり、口臭を押え、口内環境を一早く健全な状態に整えることができる舌ブラシを提供する。【解決手段】握り部とクリーナー部１とからなる舌ブラシ（口内清掃具）において、クリーナー部１に舌苔を剥離するブラシ部１Ｂと、ブラシ部１Ｂで剥離した舌苔を集め取るヘラ部１Ａとが設けられており、該各面がブラスト加工により凸部を有することと、該前記クリーナー部１に抗菌剤等を練り込み、舌垢除去力を向上させた。【選択図】図１【図１】
0006813814.tif 000002
【図２】
0006813814.tif 000003
【図３】
0006813814.tif 000004
【図４】
0006813814.tif 000005
【図５】
0006813814.tif 000006